(57)【要約】【課題】外観に影響を与えることなく設置可能であり、使用により暖房性能が低下することがなく、多様なデザインを有する建物への適合性が高い幅木暖房装置および幅木暖房装置の施工方法を提供する。【解決手段】建物の内壁材と床下地材との取り合い部において、内壁材の下部に形成される空隙のうち長手方向両端部を除く部分に埋め込まれるように設置されるベース部材と、熱源機に接続され、ベース部材に固定される往き管および戻り管からなる温水用配管と、内壁材からなる内壁の入隅部または出隅部において、隣接する往き管同士または隣接する戻り管同士を連結するＬ字部材と、往き管と戻り管とを連結する末端部材と、ベース部材に着脱自在に取り付けられるカバー部材と、を有し、温水用配管は架橋ポリエチレン管であり、カバー部材は、幅木の外観を有して取り合い部を隠蔽することを特徴とする幅木暖房装置とする。【選択図】図２
2015218914.tif 000002
【特許請求の範囲】
【請求項１】
建物の内壁材と床下地材との取り合い部において、前記内壁材の下部に形成される空隙のうち長手方向両端部を除く部分に埋め込まれるように設置されるベース部材と、
熱源機に接続され、前記ベース部材に固定される往き管および戻り管からなる温水用配管と、
前記内壁材からなる内壁の入隅部または出隅部において、隣接する前記往き管同士または隣接する前記戻り管同士を連結するＬ字部材と、
前記往き管と前記戻り管とを連結する末端部材と、
前記ベース部材に着脱自在に取り付けられるカバー部材と、を有し、
前記温水用配管は架橋ポリエチレン管であり、
前記カバー部材は、幅木の外観を有して前記取り合い部を隠蔽することを特徴とする幅木暖房装置。
【請求項２】
前記カバー部材の室外側面には、先端が下方に延びる鉤状の係合片が設けられ、
前記ベース部材には、前記係合片と係合する係合部が設けられていることを特徴とする請求項１に記載の幅木暖房装置。
【請求項３】
前記カバー部材には該カバー部材の下端部から室外側に延びる載置片が設けられ、
前記床下地材の上に配置される床材と前記カバー部材との取り合い部には緩衝材が設けられており、
前記カバー部材は、前記載置片と前記緩衝材とが当接するように、前記ベース部材に取り付けられていることを特徴とする請求項１または２に記載の幅木暖房装置。
【請求項４】
建物の内壁材と床下地材との取り合い部において、前記内壁材を所定の高さで切り落とす内壁材切落工程と、
前記内壁材切落工程により前記内壁材の下部に形成された空隙に、熱源機に接続される往き管および戻り管からなる温水用配管を取り出す配管取出工程と、
前記空隙のうち長手方向両端部を除く部分に、前記所定の高さ以下の高さを有するベース部材を埋め込み、固定するベース部材設置工程と、
前記温水用配管を前記ベース部材に固定し、前記内壁材からなる内壁の入隅部または出隅部において、隣接する前記往き管同士または隣接する前記戻り管同士をＬ字部材により連結し、かつ、前記往き管と前記戻り管とを末端部材により連結することによって配管を行う配管工程と、
前記ベース部材にカバー部材を着脱自在に取り付けるカバー部材取付工程と、を有し、
前記カバー部材は、幅木の外観を有して前記取り合い部を隠蔽することを特徴とする幅木暖房装置の施工方法。
【請求項５】
前記カバー部材の室外側面には、先端が下方に延びる鉤状の係合片が設けられ、
前記ベース部材には、前記係合片と係合する係合部が設けられており、
前記カバー部材取付工程において、前記係合片を前記係合部に係合させることにより、前記カバー部材を前記ベース部材に取り付けることを特徴とする請求項４に記載の幅木暖房装置の施工方法。
【請求項６】
前記カバー部材取付工程よりも前に、前記床下地材の上に配置される床材と前記カバー部材との取り合い部に緩衝材を設置する緩衝材配置工程を有し、
前記カバー部材取付工程において、前記カバー部材の下端部から室外側に延びる載置片を前記緩衝材に押しつけるように前記ベース部材に前記カバー部材を取り付けることを特徴とする請求項４または５に記載の幅木暖房装置の施工方法。
【発明の詳細な説明】
【技術分野】
【０００１】
本発明は、建物の壁と床との取り合い部に設けられる幅木を利用した幅木暖房装置および幅木暖房装置の施工方法に関する。詳細には、幅木部分に温水配管を埋設してなる温水式の幅木暖房装置および幅木暖房装置の施工方法に関する。
【背景技術】
【０００２】
従来、住宅等の建物に備え付けられる暖房システムとして、温水配管を床下に埋設し、該温水配管に温水を供給することにより暖房を行う温水式床暖房システムが利用されている。温水式床暖房システムは、初期導入時に掛かる材工負担が大きく、その後、漏水等により補修が必要となった場合には、補修に時間が掛かり費用も大きいという問題があった。そこで、建物の幅木部分に電気式ヒータや温水配管等の放熱体を設置することにより、幅木を暖房に利用することが提案されている。幅木暖房装置は、床暖房と比較して初期導入時の材工負担が小さく、補修が容易であるという利点がある。
【０００３】
このような幅木暖房装置として、例えば、特許文献１には、暖房すべき部屋の壁面に沿って、幅木上に温水管を配管固定したことを特徴とする放熱器が提案されている。
【先行技術文献】
【特許文献】
【０００４】
【特許文献１】特開平１１−１４８６６５号公報
【発明の概要】
【発明が解決しようとする課題】
【０００５】
しかしながら、上記特許文献１に記載の放熱器には以下のような問題点があった。
すなわち（１）既存の幅木の上に後付けされるものであるため、既存の幅木よりも室内側に突出し、見栄えが悪かった；（２）カバーの下面および上面に所定のピッチでスリット状の空気通路を設けることにより、自然対流によって部屋の空気を暖めることを想定していたが、該スリット状の空気通路にはゴミや塵埃が溜まり易く、空気通路が塞がれることにより、暖房性能が低下することがあった；（３）放熱器のカバーと床面との間には取り付けの便宜のために隙間が形成されているため、該隙間にもゴミや塵埃が溜まりやすく、衛生上好ましくなく、且つ、下側の空気通路が塞がるのを助長する虞があった；（４）カバーは耐熱樹脂板であったが、選択する樹脂の種類によっては輻射効率が悪く、暖房性能が低下する虞があった；（５）幅木の長手方向に沿って設置可能な放熱器の構成が開示されているものの、入隅部または出隅部における構成が開示されておらず、多様なデザインを有する建物にそのまま導入できるものではなかった。
【０００６】
そこで、本発明は、外観に影響を与えることなく設置可能であり、ゴミや塵埃が蓄積して暖房性能が低下することがなく、多様なデザインを有する建物への適合性が高い幅木暖房装置および幅木暖房装置の施工方法を提供することを課題とする。
【課題を解決するための手段】
【０００７】
即ち、請求項１に記載の発明は、建物の内壁材（１１）と床下地材（１４）との取り合い部において、内壁材の下部に形成される空隙のうち長手方向両端部を除く部分に埋め込まれるように設置されるベース部材（１）と、熱源機に接続され、ベース部材に固定される往き管（２ａ）および戻り管（２ｂ）からなる温水用配管（２）と、内壁材からなる内壁の入隅部（Ａ１、Ａ２）または出隅部（Ｂ１）において、隣接する往き管同士または隣接する戻り管同士を連結するＬ字部材（３）と、往き管と戻り管とを連結する末端部材（４）と、ベース部材に着脱自在に取り付けられるカバー部材（５）と、を有し、温水用配管は架橋ポリエチレン管であり、カバー部材は、幅木の外観を有して取り合い部を隠蔽することを特徴とする幅木暖房装置（１０）である。
【０００８】
請求項２に記載の発明は、請求項１に記載の幅木暖房装置（１０）において、カバー部材（５）の室外側面には、先端が下方に延びる鉤状の係合片（５ｄ）が設けられ、ベース部材（１）には、係合片と係合する係合部（１ｇ）が設けられていることを特徴とする。
【０００９】
請求項３に記載の発明は、請求項１または２に記載の幅木暖房装置（１０）において、カバー部材（５）には該カバー部材の下端部から室外側に延びる載置片（５ｃ）が設けられ、床下地材（１４）の上に配置される床材（１２）とカバー部材との取り合い部には緩衝材（８）が設けられており、カバー部材は、載置片と緩衝材とが当接するように、ベース部材（１）に取り付けられていることを特徴とする。
【００１０】
請求項４に記載の発明は、建物の内壁材（１１）と床下地材（１４）との取り合い部において、内壁材を所定の高さで切り落とす内壁材切落工程（Ｓ１）と、内壁材切落工程により内壁材の下部に形成された空隙に、熱源機に接続される往き管（２ａ）および戻り管（２ｂ）からなる温水用配管（２）を取り出す配管取出工程（Ｓ２）と、空隙のうち長手方向両端部を除く部分に、所定の高さ以下の高さを有するベース部材（１）を埋め込み、固定するベース部材設置工程（Ｓ３）と、温水用配管をベース部材に固定し、内壁材からなる内壁の入隅部（Ａ１、Ａ２）または出隅部（Ｂ１）において、隣接する往き管同士または隣接する戻り管同士をＬ字部材（３）により連結し、かつ、往き管と戻り管とを末端部材（４）により連結することによって配管を行う配管工程（Ｓ４）と、ベース部材にカバー部材（５）を着脱自在に取り付けるカバー部材取付工程（Ｓ５）と、を有し、カバー部材は、幅木の外観を有して取り合い部を隠蔽することを特徴とする幅木暖房装置（１０）の施工方法である。
【００１１】
請求項５に記載の発明は、請求項４に記載の幅木暖房装置（１０）の施工方法において、カバー部材（５）の室外側面には、先端が下方に延びる鉤状の係合片（５ｄ）が設けられ、ベース部材（１）には、係合片と係合する係合部（１ｇ）が設けられており、カバー部材取付工程（Ｓ５）において、係合片を係合部に係合させることにより、カバー部材をベース部材に取り付けることを特徴とする。
【００１２】
請求項６に記載の発明は、請求項４または５に記載の幅木暖房装置（１０）の施工方法において、カバー部材取付工程（Ｓ５）よりも前に、床下地材（１４）の上に配置される床材（１２）とカバー部材（５）との取り合い部に緩衝材（８）を設置する緩衝材配置工程（Ｐ１）を有し、カバー部材取付工程において、カバー部材の下端部から室外側に延びる載置片（５ｃ）を緩衝材に押しつけるようにベース部材にカバー部材を取り付けることを特徴とする。
【発明の効果】
【００１３】
本発明によれば、外観に影響を与えることなく設置可能であり、ゴミや塵埃が蓄積して暖房性能が低下することがなく、多様なデザインを有する建物への適合性が高い幅木暖房装置および幅木暖房装置の施工方法を提供することができる。
【図面の簡単な説明】
【００１４】
【図１】本発明の一実施形態に係る幅木暖房装置１０を室内側から見た概略図である。
【図２】図２（ａ）は図１にＩＩａで示した領域の拡大図、図２（ｂ）は図１にＩＩｂで示した領域の拡大図である。
【図３】図３（ａ）は図２（ａ）においてカバー部材５を取り外した姿勢を示す図、図３（ｂ）は図２（ｂ）においてカバー部材５を取り外した姿勢を示す図である。
【図４】図４（ａ）は図３（ａ）のＩＶａ方向の矢視図、図４（ｂ）は図３（ｂ）のＩＶｂ方向の矢視図、図４（ｃ）は図４（ａ）と同一の視点から見たＬ字部材３のみを示す図、図４（ｄ）は他の実施形態に係るＬ字部材３´を示す図である。
【図５】図５（ａ）は入隅部Ａ３における幅木暖房装置１０のカバー部材５を取り外した姿勢における拡大図、図５（ｂ）は図５（ａ）と同一の視点から見た末端部材４のみを示す図である。図５（ｃ）は末端部材４として２つのＬ字部材３´´を組み合わせて使用した場合の図５（ａ）と同一の視点から見た図である。
【図６】カバー部材取付工程Ｓ５の様子を示す図である。
【図７】幅木暖房装置１０の施工方法を概略的に示すフローチャートである。
【図８】図１のＶＩＩＩ方向から見た配管取出工程後の様子を示す図である。
【発明を実施するための形態】
【００１５】
以下、本発明の実施形態の一例としての幅木暖房装置、および、幅木暖房装置の施工方法について説明する。但し、本発明は、この幅木暖房装置に限定されるものではない。なお、特に断らない限り、数値ＡおよびＢについて「Ａ〜Ｂ」という表記は「Ａ以上Ｂ以下」を意味するものとする。かかる表記において数値Ｂのみに単位を付した場合には、当該単位が数値Ａにも適用されるものとする。
【００１６】
１．幅木暖房装置１０
図１は一つの実施形態に係る幅木暖房装置１０を室内側から見た概略図である。図１に表れているように、内壁材１１からなる内壁と床１２との取り合い部に沿って、入隅部Ａ１、出隅部Ｂ１、入隅部Ａ２を通って連続する幅木暖房装置直線部１０ａ、１０ｂ、１０ｃ、１０ｄからなる幅木暖房装置１０、および、幅木暖房装置を備えない幅木１３が備え付けられている。本発明の幅木暖房装置１０は、後述するカバー部材５を幅木１３と同一の外観とすることにより、本実施形態のように、従来の幅木１３と組み合わせて使用する場合であっても、外観上の違和感を与えることなく備え付けることが可能である。
【００１７】
図２（ａ）に図１にＩＩａで示した領域の拡大図、図２（ｂ）に図１にＩＩｂで示した領域の拡大図を示した。また、図３（ａ）に図２（ａ）においてカバー部材５を取り外した姿勢における拡大図、図３（ｂ）に図２（ｂ）においてカバー部材を取り外した姿勢における拡大図、図５（ａ）に図１にＶで示した領域における、カバー部材５を取り外した姿勢における拡大図を示した。図２（ａ）および図３（ａ）には、併せて幅木暖房装置直線部１０ａの長手方向に直交する断面が表れている。また、図４（ａ）に図３（ａ）のＩＶａ方向の矢視図、図４（ｂ）に図３（ｂ）のＩＶｂ方向の矢視図を示した。
本発明の幅木暖房装置１０は、ベース部材１と、往き管２ａおよび戻り管２ｂからなる温水用配管２と、Ｌ字部材３と、後述する末端部材４と、カバー部材５と、を有して構成されている。
なお、入隅部Ａ２における幅木暖房装置の構成は入隅部Ａ１と同様であり、ここでは説明を省略する。
【００１８】
以下に、本発明の幅木暖房装置を構成する、ベース部材１、温水用配管２、Ｌ字部材３、末端部材４、および、カバー部材５について順に説明する。
【００１９】
１．１．ベース部材１
ベース部材１は、図２（ａ）および図３（ａ）（ｂ）に表れているように建物の内壁材１１と床下地材１４との取り合い部において、内壁材１１の下部に形成される空隙のうち長手方向両端部を除く部分に埋め込まれるように設置される部材である。内壁材１１の下部に形成される空隙の長手方向両端部を除くようにベース部材１を設置することにより、長手方向両端部に、後述する配管取り出しのためのスペース、Ｌ字部材３を配置するスペース、および、末端部材４を配置するスペースを確保することが可能となる。
【００２０】
図６（ａ）を用いて、本実施形態に係るベース部材１の構造を説明する。図６（ａ）は、図３（ａ）にも表れていた、幅木暖房装置直線部１０ａの長手方向に直交する断面図である。図６（ａ）および後述する図６（ｂ）〜（ｄ）において、紙面右側が室内側、紙面左側が室外側である。ベース部材１は図６（ａ）に表れる断面形状を有して長手方向に延在する部材である。図６（ａ）に表れる断面において、ベース部材１は、間柱１５に沿うように立設する片１ａと、片１ａの上端部から室内側に延びる片１ｂと、片１ａの下端部から室内側に延びる片１ｃと、を有している。片１ｂの室外側端部には上方に延びる片１ｄが形成されており、片１ｄの室外側面は、内壁材１１の室内側面と当接している。
片１ａの室内側面には、往き管２ａおよび戻り管２ｂをそれぞれ抱持する曲線状の抱持片１ｅ、１ｅが上下方向に並設されている。各抱持片１ｅの上端部からはさらに室内側に片１ｆが延び、その先には後述するカバー部材５の係合片５ｄと係合する係合溝Ｃを形成するコ字状の係合部１ｇが形成されている。係合部１ｇの室内側に立設する片からは、室内側へ向けて片１ｈ、１ｈが延びている。片１ｈ、１ｈの先端は、カバー部材５を取り付けた姿勢において、カバー部材５の室外側面と当接する。
【００２１】
ベース部材１は、片１ａおよび片１ｃに設けられる貫通孔に固定部材６を貫通させることにより、間柱１５および床下地材１４に固定される。ベース部材１を固定する方法は特に限定されず、内壁材１１の下地となる柱、構造用合板等に固定する形態としてもよい。また、固定部材は特に限定されず、木ネジ等を使用することができる。
【００２２】
図６（ａ）にＨで示した片１ａの高さは、例えば、７〜１０ｃｍとすることができる。ベース部材１を配置する空隙の高さはＨよりも高くなるように空隙を形成することが必要となる。
なお、本実施形態では、空隙の高さがＨと略同一であり、内壁材１１の下面と片１ｂとが当接する例を示したが、本発明はこれに限定されず、片１ａの高さＨは空隙の高さよりも低く形成されており、内壁材１１の下面と１ｂとの間に空隙が形成されていてもよい。
【００２３】
ベース部材１の材質は特に限定されず、例えばアルミニウム等を用いることができる。また、嵌合作業を向上させる観点から表面をアルマイト・クリア処理されていることが好ましい。
【００２４】
１．２．温水用配管２
温水用配管２は熱源機に接続され、配管内部に温水を循環させて熱を伝える管状の部材である。図２（ａ）、図３（ａ）（ｂ）、図６（ａ）に表れているように、温水用配管２は往き管２ａおよび戻り管２ｂからなり、上記ベース部材１の抱持片１ｅ、１ｅに抱持されるようにベース部材１に固定される。温水用配管２は、内壁材１１下部に形成される空隙の長手方向両端部において、後述するＬ字部材または末端部材に接続される（図３および図５参照）。
【００２５】
温水用配管２の材質には、ポリエチレンを構成する分子鎖に架橋構造を有する架橋ポリエチレンを使用する。この架橋ポリエチレン管は、ＪＸＰＡ規格に則った耐久試験項目（引っ張り降伏強さ、耐圧性、熱間内圧クリープ性、浸出性（濁度、残留塩素の減量、臭気等）、耐塩素水性、ゲル分率）に合格している物であれば使用することができる。特に、ゲル分率は６５％以上が好ましい。
【００２６】
１．３．Ｌ字部材３
Ｌ字部材３は、図３および図４（ａ）（ｂ）に表れているように、内壁材１１からなる内壁の入隅部Ａ１（Ａ２）または出隅部Ｂ１において、隣接する往き管２ａ同士または隣接する戻り管２ｂ同士を連結する部材である。図４（ｃ）に表れているように、Ｌ字部材３は両末端部分に段状の接続部３ａを有し、該接続部３ａと温水用配管２端部の内周面とが嵌合することにより、温水用配管２とＬ字部材３とが接続されている。また、該接続部３ａと温水用配管２との接続部分は、温水用配管２の上からバンド７により拘束されており、接続が強固なものとなっている。
【００２７】
図４（ｃ）にαで示した接続部３ａ、３ａの長手方向がなす角度は９０度に限定されず、入隅部または出隅部の角度に併せて、適宜変更することが可能である。例えば、図４（ｄ）に示したように、角度αが９０度より大きいＬ字部材３´を使用してもよい。このように入隅部または出隅部の角度に対応したＬ字部材を使用することにより、多様なデザインを有する建物への適合性を高めることが可能となる。
【００２８】
１．４．末端部材４
末端部材４は、図５（ａ）に表れているように、幅木暖房装置１０の末端部において、往き管２ａと戻り管２ｂとを連結する部材である。図５（ｂ）に表れているように、末端部材４は両末端部分に、Ｌ字部材の接続部３ａと同様の形状を有する段状の接続部４ａを有し、該接続部４ａと温水用配管２端部の内周面とが嵌合することにより、温水用配管２と末端部材４とが接続されている。また、該接続部４ａと温水用配管２との接続部分は、温水用配管の上からバンド７により拘束されており、接続が強固なものとなっている。
【００２９】
本実施形態では図５（ａ）、（ｂ）に示すように、Ｕ字形状の末端部材４を示したが、末端部材４の形状は往き管２ａと戻り管２ｂとを連結することが可能な形状であれば特に限定されない。例えば、図５（ｃ）に示すようにＬ字部材３´´、３´´を組み合わせて末端部材を構成してもよく、温水用配管２の柔軟性を向上させてＵ字状に折り曲げることにより、末端部材としてもよい。
【００３０】
１．５．カバー部材５
図６（ｂ）を用いて、本実施形態に係るカバー部材５の構造を説明する。図６（ｂ）は図２（ａ）にも表れていた、幅木暖房装置直線部１０ａの長手方向に直交する断面図において、カバー部材５を取り除いた様子を示す図である。カバー部材５は図６（ｂ）に表れる断面形状を有して長手方向に延在する部材である。図６（ｂ）に表れる断面において、カバー部材５は、紙面上下方向に立設する片５ａと、片５ａの上端部から室外側に向けて上方に延びる曲線状の片５ｂと、片５ａの下端部から室外側に延びる載置片５ｃと、を有している。
片５ａの室外側面には、該室外側面から室外側に延び、先端が下方に延びる鉤状の係合片５ｄが設けられており、係合片５ｄは上記ベース部材１の係合部１ｇと係合する形状を有しており、係合片５ｄと係合部１ｇとが係合することにより、カバー部材５がベース部材１に取り付けられる。このとき、係合部１ｇから、室内側に延びる片１ｈ、１ｈはカバー部材の室外側面に当接する。これにより、靴、足、掃除機等がカバー部材の室外側面に接触した際に、カバー部材５からベース部材１に伝わる衝撃を分散させることが可能となる。なお、本実施形態では、片５ｂが丸みを有する例を示したが、片５ｂは、矩形状に形成されていてもよい。
カバー部材５には、美観性および剛性を向上させる目的で、化粧溝５ｅが形成されている。
【００３１】
図２（ａ）および図６（ｄ）に表れているように、温水用配管２を抱持する抱持片５ｅ、カバー部材５の係合片５ｄと係合する係合部１ｇ、およびカバー部材５の室外側面と当接する片１ｈ、１ｈは一体的に形成されている。これにより、温水用配管２とカバー部材５とは、各部材を介して接続することとなるため、温水用配管２からカバー部材５への伝熱は、輻射だけでなく、熱伝導によっても行われることとなり、暖房性能を高めることが可能となる。
【００３２】
カバー部材５の材質は特に限定されず、例えばアルミニウム等を用いることができる。また、カバー部材の表面にはアルマイト・クリア処理が施されていることが好ましい。カバー部材５の表面にアルマイト・クリア処理を施すことにより、ベース部材との嵌合作業を改善できると共に輻射率を向上させることができ、温水用配管２からの輻射を室内側へ伝えやすくなる。
【００３３】
本発明において、カバー部材５は幅木の外観を有する。ここで、「幅木の外観を有する」とは、幅木暖房装置１０を室内側から見たときに、外観上、視認者に幅木であるとの印象を与えることが可能であることを意味する。従って、カバー部材５の寸法、形状は、内壁材１１と床下地材１４との取り合い部を隠蔽することが可能なものであれば、通常設計される幅木に適用される範囲で適宜変更可能である。また、幅木の表面外観は、所望により、例えば木目調シート等のシートを貼着することにより変更することが可能である。
本実施形態のように、幅木暖房装置１０を通常の幅木１３と組み合わせて使用する場合には、カバー部材５のデザインを幅木１３のものと同様とすることにより、統一感を与え、外観上の違和感を与えることなく備え付けることが可能である。なお、幅木暖房装置と幅木とは異なるデザインを有していてもよい。
【００３４】
１．６．緩衝材８
緩衝材８は、図２および図６に表れているように、カバー部材５の載置面５ｃと床材１２の上面の外縁部分との間に挟まれ、床材１２とカバー部材５との取り合い部の目を隠す見切り材として機能するシート状の部材である。緩衝材８の施工を容易にする観点から、緩衝材８は、少なくとも床材１２側の面に貼着性を有することが好ましい。
緩衝材８の材質は、上記条件を満たすことのできるものであれば、特に限定されず、公知の合成樹脂等を用いることができる。
【００３５】
１．７．機能
以上の各部材により構成される本発明の幅木暖房装置１０は、暖房機能に加えて、通常の幅木が有する機能と同様の機能を有する。通常の幅木が有する機能としては、例えば、床と内壁との取り合い部を隠蔽する機能、内壁の下部に靴、足、掃除機等が接触しても、内壁に傷や汚れがつかないように保護する機能等が挙げられる。
本発明の幅木暖房装置１０は、建物の内壁材１１と床下地材１４との取り合い部において、内壁材１１の下部に埋め込まれるように取り付けることが可能であるため、外観に影響を与えることがない。また、室内側に表れている部位にゴミや塵埃が蓄積し、暖房性能が低下することがない。
【００３６】
本発明において、輻射熱利用の暖房設備においては、簡易的には概ね１００Ｗ／ｍ２以上が好ましいとされる。本願の幅木暖房に於いても同様の観点から、１００Ｗ／ｍ２以上の放熱量が好ましい。ただし、実際の暖房設計では設置される部屋の暖房負荷を超える熱量が必要であるため、使用に際して確認が必要になることは言うまでもない。
【００３７】
２．幅木暖房装置の施工方法
図８は、本発明の幅木暖房装置１０の施工方法を概略的に示すフローチャートである。以下、図２〜図８を参照しつつ、幅木暖房装置の施工方法について具体的に説明する。本発明の幅木暖房装置の施工方法は、内壁材切落工程Ｓ１と、配管取出工程Ｓ２と、ベース部材設置工程Ｓ３と、配管工程Ｓ４と、カバー部材取付工程Ｓ５と、を有する。
【００３８】
２．１．内壁材切落工程（工程Ｓ１）
工程Ｓ１は、建物の内壁材１１と床下地材１４との取り合い部において、内壁材１１を所定の高さで切り落とす工程である。ここで、内壁材１１を切り落とす「所定の高さ」は、図６（ａ）に表れているベース部材１の片１ａの高さＨよりも高く形成され、かつ、幅木の外観を有するカバー部材５により全体を隠蔽することが可能な高さであれば、特に限定されない。内壁材１１を切り落とす方法は特に限定されず、公知の方法を用いることができる。
【００３９】
２．２．配管取出工程（工程Ｓ２）
工程Ｓ２は、工程Ｓ１により内壁材１１の下部に形成された空隙（以下、空隙Ｓということがある。）に、熱源機に接続される往き管２ａおよび戻り管２ｂからなる温水用配管２を取り出す工程である。図８に、図１の矢印ＶＩＩＩ方向から見た空隙Ｓの長手方向端部における、工程Ｓ２後の様子を示した。工程Ｓ２において、まず、空隙Ｓ１の長手方向端部の床下地材１４に、熱源機（不図示）に接続されている往き管２ａおよび戻り管２ｂを取り出すための穴１６、１６が形成される。床下地材１４に穴を形成する方法は特に限定されず、公知の方法を用いることができる。また、穴の大きさは、往き管２ａおよび戻り管２ｂを取り出すことのできる大きさであれば特に限定されない。
次に穴１６、１６を通して往き管２ａおよび戻り管２ｂを床上に立ち上げ、往き管２ａおよび戻り管２ｂにＬ字部材３を接続し、バンド７で固定する。これにより、往き管２ａおよび戻り管２ｂを空隙Ｓ内に取り出し、空隙Ｓの長手方向へと流路を変更する。
なお、本実施形態では、床下地材１４から空隙Ｓ内に往き管２ａおよび戻り管２ｂを取り出す例を示したが、工程Ｓ２において往き管２ａおよび戻り管２ｂを取り出す方法はこれに限定されない。例えば、内壁材１１の下地となる部材から（空間Ｓよりも紙面奥方向から）取り出す形態、または、内壁材１１を貫通して上方向から取り出す形態としてもよい。
【００４０】
２．３．ベース部材設置工程（工程Ｓ３）
工程Ｓ３は、空隙Ｓの長手方向両端部を除く部分に、所定の高さ以下の高さを有するベース部材を埋め込み、固定する工程である。
【００４１】
工程Ｓ３において、空隙Ｓへのベース部材の埋め込みは床材１２の施工前に行われる。ベース部材１の空隙Ｓへの埋め込みは、ベース部材１の片１ｃと床下地材１４とが当接するように、ベース部材１を床下地材１４上に配置した状態で、ベース部材１の片１ａと間柱１５の室内側面とが当接するように、ベース部材１を室外方向にスライドさせることにより、容易に行うことが可能である。
その後、図６（ａ）に表れているように、片１ａおよび片１ｃに設けられる貫通孔に固定部材６を貫通させることにより、ベース部材１を間柱１５および床下地材１４に固定する。
【００４２】
２．４．配管工程（工程Ｓ４）
工程Ｓ４は、温水用配管２をベース部材１に固定し、内壁材１１からなる内壁の入隅部Ａ１、Ａ２または出隅部Ｂ１において、隣接する往き管２ａ同士または隣接する戻り管２ｂ同士をＬ字部材３により連結し、かつ、往き管２ａと戻り管２ｂとを末端部材４により連結することによって配管を行う工程である。
【００４３】
工程Ｓ４において、まず、温水用配管２を、空隙Ｓの長手方向両端部においてＬ字部材３または末端部材４に接続されるのに適した長さに切断し、ベース部材１の抱持片１ｅ、１ｅにより形成される溝に、室内側から挿入する。これにより、温水用配管２は抱持片１ｅ、１ｅに抱持された状態で固定される。次に内壁の入隅部Ａ１、Ａ２または出隅部Ｂ１において、隣接する往き管２ａ同士または隣接する戻り管２ｂ同士をＬ字部材３により連結し、かつ、入隅部Ａ３において往き管２ａと戻り管２ｂとを末端部材４により連結することによって配管を行う。このとき、上述のように、各部材の連結部はバンド７により拘束する。なお、配管は、温水用配管２、Ｌ字部材３、および、末端部材４を一体に組み合わせた後、空隙Ｓに埋め込み、温水用配管２を抱持片１ｅ、１ｅに抱持させて固定することも可能である。
工程Ｓ４の後、図１に矢印ＶＩＩＩで示した方向から見た空隙Ｓの長手方向端部において、工程Ｓ２により取り出された配管（図８に表れているＬ字部材３、３）と温水用配管（図２（ａ）に表れている往き管２ａおよび戻り管２ｂ）とを連結することにより、熱源機と幅木暖房装置１０内の温水用配管とが接続され、幅木暖房装置１０内部に温水を循環させることが可能となる。
【００４４】
以上のような工程Ｓ４によれば、幅木暖房装置１０を取り付ける位置の寸法に合わせて、作業現場で温水用配管２を適切な長さに切断し、Ｌ字部材３または末端部材４と組み合わせることにより、容易に配管を行うことができるため、施工性に優れる。
【００４５】
２．５．カバー部材取付工程（工程Ｓ５）
工程Ｓ５は、ベース部材１にカバー部材５を着脱自在に取り付ける工程である。
図６に工程Ｓ５の様子を示した。図６（ａ）は工程Ｓ４後の幅木暖房装置直線部１０ａの長手方向に直交する断面図である。工程Ｓ５では、まず、図６（ｂ）に示すように係合片５ｄ、５ｄおよび載置片５ｃが室外側となるようにカバー部材５を保持し、室外側に向けてスライドさせることにより図６（ｃ）に示す状態とする。このとき、片５ａの室外側面と片１ｈ、１ｈとは当接する。その後、カバー部材を下方にスライドさせることにより、カバー部材５がベース部材１に取り付けられる。本発明によれば、図６（ｃ）に示した姿勢から、カバー部材を下方にスライドさせるのみで、図６（ｄ）に示すように係合片５ｄ、５ｄと係合部１ｇ、１ｇとが係合するため、カバー部材５の取り付けを容易に行うことが可能である。
【００４６】
２．６．緩衝材配置工程（工程Ｐ１）
本発明の幅木暖房装置の施工方法は、さらに、工程Ｓ５よりも前に、床下地材１４の上に配置される床材１２とカバー部材５との取り合い部に緩衝材８を設置する工程Ｐ１を有していることが好ましい。緩衝材８を設置する方法は特に限定されないが、緩衝材８として貼着性を有するものを使用し、床材１２に貼着することにより設置することが、施工を容易にする観点から好ましい。緩衝材８を設置する面積は、図２および図６に表れているように、カバー部材５の載置面５ｃと床材１２の上面の外縁部分との間に挟まれ、取り合い部の目を隠すことができる広さであれば特に限定されない。また、緩衝材８の高さは、カバー部材５のベース部材１への取り付けを妨げることなく、緩衝材８とカバー部材５の載置面５ｃと間に空隙が形成されない高さであることが好ましい。
【００４７】
工程Ｓ５よりも前に工程Ｐ１を有していることにより、工程Ｓ５において、カバー部材５の載置片５ｃを緩衝材８に押しつけるようにしてベース部材１にカバー部材５を取り付けることができ、各部材に多少の寸法誤差がある場合でも、床材１２とカバー部材５との取り合い部の目を隠し易くなる。
【００４８】
３．幅木暖房装置の補修交換方法
本発明の幅木暖房装置１０を構成する部材のうち、特に温水用配管２、Ｌ字部材３、末端部材４の補修または交換を行う場合には、カバー部材５を取り外し、空隙Ｓを室内側に露出させることにより行う。カバー部材５の取り外しは、カバー部材取付工程において説明した図６の（ａ）〜（ｄ）を逆にたどることにより容易に行うことができるため、本発明の幅木暖房装置１０の補修または交換は、室内側から容易に行うことができる。
【００４９】
本発明の幅木暖房装置は、従来の床暖房に代わる主暖房として使用することが可能である。ただし、総合的なエネルギー効率を上げることを目的として、従来の床暖房や他の暖房システムと組み合わせて使用してもよい。また、本発明の幅木暖房装置は、住宅等におけるレイアウトの変更に伴い、幅木暖房装置を設置する位置および長手方向の長さを容易に変更することが可能であるため、暖房設計の自由度を高めることができる。
【００５０】
以上、現時点において、もっとも、実践的であり、かつ、好ましいと思われる実施形態に関連して本発明を説明したが、本発明は、本願明細書中に開示された実施形態に限定されるものではなく、特許請求の範囲および明細書全体から読み取れる発明の要旨或いは思想に反しない範囲で適宜変更可能であり、そのような変更を伴う、幅木暖房装置および幅木暖房装置の施工方法もまた本発明の技術的範囲に包含されるものとして理解されなければならない。
【符号の説明】
【００５１】
１      ベース部材
２      温水用配管
２ａ  往き管
２ｂ  戻り管
３      Ｌ字部材
４      末端部材
５      カバー部材
６      固定部材
７      バンド
８      緩衝材
１０    幅木暖房装置
１０ａ〜ｄ  幅木暖房装置直線部
１１    内壁材
１２    床（材）
１３    幅木
１４    床下地材
１５    間柱
【図１】
2015218914.tif 000003
【図２】
2015218914.tif 000004
【図３】
2015218914.tif 000005
【図４】
2015218914.tif 000006
【図５】
2015218914.tif 000007
【図６】
2015218914.tif 000008
【図７】
2015218914.tif 000009
【図８】
2015218914.tif 000010